(57)【要約】【課題】落下の衝撃によりカートリッジケースが変形して使用不能となることがないように構成された記録ディスクカートリッジを提供する。【解決手段】記録ディスクメディア３０と、記録ディスクメディア３０を収容するとともに、記録ディスクメディア３０を外部に臨ませるアクセス用開口部１０１を有するカートリッジケース１０と、カートリッジケース１０内で回動することでアクセス用開口部１０１を開閉するロータリシャッタ２０と、を備える記録ディスクカートリッジ１であって、記録ディスクメディア３０の半径方向外側においてカートリッジケース１０の後端部に係る周壁であるベースフレーム１３２を、高比重の材料からなるフレーム部材１３で構成して、重心Ｊの位置を後端部１０ｂ側とする。【選択図】図６
2007133941.tif 000002
【特許請求の範囲】
【請求項１】
記録ディスクメディアと、前記記録ディスクメディアを収容するとともに、前記記録ディスクメディアを外部に臨ませるアクセス用開口部を有するカートリッジケースと、前記記録ディスクメディアと前記カートリッジケースとの間で回動することで前記アクセス用開口部を開閉するロータリシャッタと、を備える記録ディスクカートリッジであって、
前記カートリッジケースが、前記記録ディスクメディアの半径方向外側において、前端部に係る周壁の一部と、後端部に係る周壁と、左端部に係る周壁の一部と、を構成するフレーム部材と、
前記記録ディスクメディアの上方に配置されて前記カートリッジケースの上壁を構成する上シェルと、
前記記録ディスクメディアの下方に配置されて前記カートリッジケースの下壁を構成する下シェルと、を有し、
前記フレーム部材のうち、前記カートリッジケースの後端部に係る周壁を構成するフレーム部材が、他のフレーム部材よりも高比重の材料により構成されていて、重心が後端部近傍に配置されていることを特徴とする、記録ディスクカートリッジ。
【請求項２】
前記カートリッジケースの後端部に係る周壁を構成するフレーム部材が、高比重樹脂または高比重金属が含有された樹脂により構成されていることを特徴とする、請求項１に記載の記録ディスクカートリッジ。
【請求項３】
前記後端部に係る周壁の外面が、衝撃吸収素材により覆われていることを特徴とする、請求項１または請求項２に記載の記録ディスクカートリッジ。
【発明の詳細な説明】
【技術分野】
【０００１】
本発明は、記録ディスクカートリッジに関し、より詳しくは記録ディスクメディアと、記録ディスクメディアを収容するカートリッジケースとを備える記録ディスクカートリッジに関する。
【背景技術】
【０００２】
従来、ポリエステルシートなどからなる円盤状の支持体の両面に磁性層を形成したフレキシブルな磁気ディスクメディアや、光記録ディスクメディア、相変化ディスクメディアなどの記録ディスクメディアをカートリッジケースに収容した記録ディスクカートリッジが知られている。これらの記録ディスクメディアは、年々、高密度記録化されており、その記録トラック幅はより狭くなってきていると共にその記録長はより短くなってきている。
【０００３】
従来の記録ディスクカートリッジとしては、例えば特許文献１に記載のものが知られている。
特許文献１に記載の記録ディスクカートリッジ８００は、図７（ａ）及び（ｂ）に示すように、カートリッジケース８１０と、このカートリッジケース８１０の内部に回動可能に配置されたロータリシャッタ８２０と、このロータリシャッタ８２０の内部に回転自在に配置された記録ディスクメディア８３０と、を主に備えている。記録ディスクメディア８３０は、円盤状のフレキシブルディスク８３１と、このフレキシブルディスク８３１を支持するハブ８３２とから構成されている。かかる記録ディスクカートリッジ８００は、専用のドライブ装置（図示省略）に装着されて使用される。
【０００４】
カートリッジケース８１０は、図７（ａ）及び（ｂ）に示すように、上シェル８１１と下シェル８１２とから構成されており、記録ディスクカートリッジ８００がドライブ装置に装着されたときにドライブ装置のヘッドが記録ディスクメディア８３０にアクセスできるように、平面視くさび形のアクセス用開口部８１３が形成されている。また、下シェル８１２には、記録ディスクカートリッジ８００がドライブ装置に装着されたときにドライブ装置のスピンドルがハブ８３２にチャックできるように、チャック用ハブ孔８１５が形成されている。
【０００５】
ロータリシャッタ８２０は、円盤状の上シャッタ８２３と下シャッタ８２４とから構成されており、記録ディスクメディア８３０をアクセス用開口部８１３から臨ませるための切欠８２１を有している。この切欠８２１は、アクセス用開口部８１３と対応する形状を有している。また、ロータリシャッタ８２０は、カートリッジケース８１０内で回動できるように上シェル８１１に結合されている。ロータリシャッタ８２０が閉位置にあるとき、カートリッジケース８１０のアクセス用開口部８１３はロータリシャッタ８２０の切欠８２１以外の部分によって塞がれる。そのため、記録ディスクメディア８３０は外部に露出しない。ロータリシャッタ８２０が開位置にあるとき、ロータリシャッタ８２０の切欠８２１とカートリッジケース８１０のアクセス用開口部８１３とが重なって、アクセス用開口部８１３から記録ディスクメディア８３０が露出する。ロータリシャッタ８２０は、図示しないばねにより付勢されて、ドライブ装置に装着されていないときは閉位置に配置され、ドライブ装置に装着されたときは開位置に配置されるようになっている。
また、ロータリシャッタ８２０の下シャッタ８２４には、チャック用ハブ孔８１５と対応する形状を有するハブ孔８２２が形成されており、ハブ８３２の下面は、このハブ孔８２２を介してチャック用ハブ孔８１５から露出している。
【特許文献１】米国特許第６２５６１６８号明細書
【発明の開示】
【発明が解決しようとする課題】
【０００６】
ところで、従来の記録ディスクカートリッジは、主に金属により形成されており、その重心が当該記録ディスクカートリッジの略中心になるように構成されていた。そのため、何らかの原因により記録ディスクカートリッジが落下した場合には、記録ディスクカートリッジのどの部分から落下するかが定まっておらず、また、落下時に地面（床）に接触した部分が落下時の衝撃により変形する場合があった。
【０００７】
そのため、落下の衝撃により変形が生じた箇所によっては、記録ディスクカートリッジが使用できなくなる場合があるという問題点を有していた。特にロータリシャッタは、アルミニウム製であるため、記録ディスクカートリッジがロータリシャッタ側から落下すると、ロータリシャッタが変形して、開閉できなくなる場合があった。
【０００８】
このような背景に鑑みて本発明がなされたのであり、本発明は、落下の衝撃によりカートリッジケースが変形して使用不能となることがないように構成された記録ディスクカートリッジを提供することを課題とする。
【課題を解決するための手段】
【０００９】
前記した課題を解決するため、本発明は、記録ディスクメディアと、前記記録ディスクメディアを収容するとともに、前記記録ディスクメディアを外部に臨ませるアクセス用開口部を有するカートリッジケースと、前記記録ディスクメディアと前記カートリッジケースとの間で回動することで前記アクセス用開口部を開閉するロータリシャッタと、を備える記録ディスクカートリッジであって、前記カートリッジケースが、前記記録ディスクメディアの半径方向外側において、前端部に係る周壁の一部と、後端部に係る周壁と、左端部に係る周壁の一部と、を構成するフレーム部材と、前記記録ディスクメディアの上方に配置されて前記カートリッジケースの上壁を構成する上シェルと、前記記録ディスクメディアの下方に配置されて前記カートリッジケースの下壁を構成する下シェルと、を有し、前記フレーム部材のうち、前記カートリッジケースの後端部に係る周壁を構成するフレーム部材が、他のフレーム部材よりも高比重の材料により構成されていて、重心が後端部近傍に配置されていることを特徴としている。
【００１０】
このような記録ディスクカートリッジによれば、記録ディスクカートリッジが何らかの原因により落下した場合でも、当該記録ディスクカートリッジが使用不能となるような変形を防止することが可能となる。つまり、本発明に係る記録ディスクカートリッジは、カートリッジケースの周壁の後端部を構成するフレーム部材が、他のフレーム部材よりも高比重の材料により構成されていて、記録ディスクカートリッジの重心が、後端部の近傍、つまり、後端部の周壁を構成するフレーム部材の周囲に位置するように構成されている。したがって、記録ディスクカートリッジが落下した際に、後端部側から落下するように空中で回転するため、例えば前端部のロータリシャッタ等、変形が生じることで記録ディスクカートリッジが使用不能となるような箇所から落下することを防止している。ここで、記録ディスクカートリッジの重心位置は、後端部側に配置されていれば限定されるものではなく適宜設定すればよいが、例えば、７０ｃｍ（標準の机の高さ）以上の高さから記録ディスクカートリッジが落下した際に、空中で記録ディスクカートリッジが回転して、記録ディスクカートリッジの最初の向きに関わらず、後端部から落下するようにその位置が設定されていればよい。
なお、本明細書において、前、後、左、右、上、下は、相対的な位置関係を示すものであり、重力との関係から絶対的に定まる方向に限定するものではない。
【００１１】
前記した記録ディスクカートリッジにおいては、前記カートリッジケースの後端部に係る周壁を構成するフレーム部材が、高比重樹脂または高比重金属が含有された樹脂により構成されていることが望ましい。
このような材料により記録ディスクカートリッジの後端部のフレーム部材を構成すれば、記録ディスクカートリッジの重心の位置を後端部近傍に配置するとともに、落下時の衝撃により、この部分が変形することを防止する。
【００１２】
さらに、前記した記録ディスクカートリッジにおいて、前記後端部の周壁の外面を、衝撃吸収素材により覆ってもよい。
このように、重心の位置が後端部の近傍に配置されるように構成されたカートリッジケースの後端部の周壁を衝撃吸収素材により覆えば、落下時の衝撃を吸収して、記録ディスクカートリッジの損傷を防止することが可能となるため、好適である。
【発明の効果】
【００１３】
本発明の記録ディスクカートリッジによれば、落下した際に後端部から落下するように構成されているため、例えば前端部側から落下して前端部に配置されたロータリシャッタが変形して開閉しなくなる等、当該記録ディスクカートリッジが落下の衝撃により使用不能となるような弊害を抑えることが可能となる。
【発明を実施するための最良の形態】
【００１４】
本発明を実施するための最良の形態について図面を参照して詳細に説明する。
参照する図面において、図１は、本実施形態に係る記録ディスクカートリッジを示す斜視図であり、（ａ）は前方斜め上方からみた図、（ｂ）は後方斜め下方からみた図をそれぞれ示している。図２は、本実施形態に係る記録ディスクカートリッジの分解斜視図である。図３は、本実施形態に係るロータリシャッタを示す斜視図であり、（ａ）は前方斜め上方からみた図、（ｂ）は後方斜め下方からみた図である。図４は、本実施形態に係る記録ディスクカートリッジを下方からみた平面図である。図５は、本実施形態に係る記録ディスクカートリッジをドライブ装置に挿入した状態を示す斜視図である。図６（ａ）は、本実施形態に係る記録ディスクカートリッジの平面図であって、（ｂ）は変形例を示す平面図である。
なお、本実施形態において方向を説明する場合は、図１に示す前、後、左、右、上、下、を基準として説明する。
【００１５】
≪記録ディスクカートリッジ１の構成≫
本実施形態に係る記録ディスクカートリッジ１は、図１及び図２に示すように、カートリッジケース１０と、このカートリッジケース１０の内部に回動可能に配置されたロータリシャッタ２０と、このロータリシャッタ２０の内部に回転自在に配置された記録ディスクメディア３０と、カートリッジケース１０の内部であってロータリシャッタ２０の下方に配置されたハブ孔シャッタ４０と、記録ディスクメディア３０をクリーニング及び保護等するライナ６０，６０と、各ライナ６０をロータリシャッタ２０の内面に固着する接着層（固定層）と、を主に備えている。そして、このような記録ディスクカートリッジ１は、専用のドライブ装置Ｄ（図５参照）に、その前側から挿入されて使用される。
【００１６】
＜カートリッジケース１０＞
カートリッジケース１０は、図１に示すように、記録ディスクメディア３０を収容するための厚さの薄い箱状体である。そして、カートリッジケース１０は、前端部１０ａが平面視で円弧（アーチ）状に形成されると共に、後端部１０ｂ、右端部１０ｃ及び左端部１０ｄが平面視で略直線状に形成されている。なお、後端部１０ｂの中間部は、その両側に比してやや後側に膨らんでおり、記録ディスクカートリッジ１をドライブ装置Ｄから取り出す際に把持し易くなっている（図５参照）。
【００１７】
また、カートリッジケース１０は、その内部に収容された記録ディスクメディア３０を外部に臨ませるための、平面視でくさび形（中心角が略９０°の略扇形）に切り欠かれたアクセス用開口部１０１（ケース開口）を有している。なお、このアクセス用開口部１０１は、ドライブ装置ＤのスイングアームＳＡ（図５参照）の動作に干渉しない形状となっている。
【００１８】
このようなカートリッジケース１０は、図２に示すように、互いに対向して配置される金属製の上シェル１１及び下シェル１２と、この上シェル１１及び下シェル１２の間に介在した合成樹脂製のフレーム部材１３と、を備えて構成されている。
【００１９】
［上シェル１１、下シェル１２］
上シェル１１は、主に、カートリッジケース１０の上壁を構成する部材である。下シェル１２は、主に、カートリッジケース１０の下壁を構成する部材である。このような上シェル１１及び下シェル１２は、例えばステンレス鋼等の金属プレートが、打ち抜き加工され、後記するように折り曲げ加工されることで、所定の形状に形成されている。
【００２０】
上シェル１１は、その前側左寄りの部分に、平面視でくさび形に切り欠かれたアクセス用開口部１１１を有している。これと同様に、下シェル１２は、その前側左寄りの部分に、平面視でくさび形に切り欠かれたアクセス用開口部１２１を有している。そして、アクセス用開口部１１１とアクセス用開口部１２１とで、前記したカートリッジケース１０のアクセス用開口部１０１が構成されている。
【００２１】
また、上シェル１１は、その右側に、金属プレートを折り曲げ加工して一体形成された平面視直線状の折り曲げ部１１２ｃを有しており、その左側に、折り曲げ部１１２ｄを有している。これと同様に、下シェル１２は、その右側に折り曲げ部１２２ｃを、その左側に折り曲げ部１２２ｄを有している。
そして、カートリッジケース１０が組み立てられたときに、折り曲げ部１１２ｃと折り曲げ部１２２ｃが重なり合って、カートリッジケース１０の右端部１０ｃにおける周壁の一部を構成するようになっている。これと同様に、折り曲げ部１１２ｄと折り曲げ部１２２ｄとが重なり合って、左端部１０ｄにおける周壁の一部を構成するようになっている。
【００２２】
さらに、上シェル１１は、その中央部に、ロータリシャッタ２０を回動可能に止め付けるセンタピン５０と係合する係合孔１１３を有している。
【００２３】
一方、下シェル１２は、その中央部に、記録ディスクメディア３０のハブ３２を外部に臨ませるハブ孔１２３を有している。そして、記録ディスクカートリッジ１がドライブ装置Ｄに装着された際に、このハブ孔１２３を介して、ドライブ装置Ｄのスピンドル（図示省略）が、ハブ３２に係合するようになっている。
また、下シェル１２は、ロータリシャッタ２０のシャッタノブ２４の軌道に沿って形成されたガイド孔１２４と、ハブ孔シャッタ４０を軸支するための内側（記録ディスクメディア３０側）に突出した２つの回動軸部１２５ａ，１２５ｂとを有している。
【００２４】
［フレーム部材１３］
フレーム部材１３は、図２に示すように、主に前端部１０ａの周壁となるアーチ状フレーム１３１と、主に後端部１０ｂの周壁となるベースフレーム１３２と、主に左端部１０ｄの前側の周壁の一部となるＶノッチ部材１３３と、を備えて構成されている。
【００２５】
アーチ状フレーム１３１の内壁面１３１ａ（記録ディスクメディア３０側の面）は、ロータリシャッタ２０の外形に沿って円弧状に形成されており、アーチ状フレーム１３１の外壁面１３１ｂ（記録ディスクカートリッジ１の外側の面）は、カートリッジケース１０の前端部１０ａの形状に沿って平面視で円弧状に形成されている。
これと同様に、ベースフレーム１３２の内壁面１３２ａ（記録ディスクメディア３０側の面）は、ロータリシャッタ２０の外形に沿って円弧状に形成されており、ベースフレーム１３２の外壁面１３２ｂ（記録ディスクカートリッジ１の外側の面）はカートリッジケース１０の後端部１０ｂの形状に沿って平面視で略直線形状に形成おり、その中間部は、両側に比してやや後側に膨らんでいる。
【００２６】
また、アーチ状フレーム１３１は、下向きに開口し、カートリッジケース１０の内部と外部を連通させる係合溝１３１ｅ（図４参照）を有している。この係合溝１３１ｅは、後記するロック片７０が係合する溝である。
【００２７】
Ｖノッチ部材１３３は、後記するように閉方向に付勢されるロータリシャッタ２０を閉位置で止めるストッパとしての役割と（図４参照）、ドライブ装置Ｄとの係合部としての役割とを備える部材であり、左端部１０ｄの前側に配置されている。
【００２８】
そして、このような上シェル１１及び下シェル１２とフレーム部材１３とは、公知の技術によって、それぞれ固定されている。例えば、（１）フレーム部材１３にボスを設けると共に、上シェル１１及び下シェル１２にボス孔を設け、ボスをボス孔に挿通した状態でボスの先端をかしめたり、（２）上シェル１１及び下シェル１２とフレーム部材１３とを接着剤により接着したりして、上シェル１１及び下シェル１２とフレーム部材１３とが固定されている。
【００２９】
なお、本実施形態において、ベースフレーム１３２は、他のフレーム部材１３（アーチ状フレーム１３１及びＶノッチ部材１３３）を構成する樹脂よりも高比重の樹脂（高比重樹脂）により構成するものとする（図６（ａ）参照）。ここで、フレーム部材１３として使用する材料である高比重樹脂は、ベースフレーム１３２が他のフレーム部材よりも高比重であれば限定されるものではないが、例えば、表１に示す組み合わせａ〜ｃように、アーチ状フレーム１３１、ベースフレーム１３２、Ｖノッチ部材１３３を構成する材料の組み合わせを設定してもよい。また、図６（ｂ）および表１の組み合わせｄに示すように、ベースフレーム１３２として高比重樹脂により全体を形成する代わりに、高比重金属１３２ｄが含有された樹脂１３２ｃを使用してもよい。つまり、インサート成型により高比重金属１３２ｄを樹脂１３２ｃにより覆うようにベースフレーム１３２を形成してもよい。この場合において、樹脂１３２ｃは、衝撃吸収素材としての機能を発揮する。
【００３０】
【表１】
2007133941.tif 000003
【００３１】
＜ロータリシャッタ２０＞
ロータリシャッタ２０は、アクセス用開口部１０１（図１参照）を開閉するためのシャッタであり、中空構造の略円盤形状に形成されている。そして、ロータリシャッタ２０の中空部に、記録ディスクメディア３０が回転自在に収容されている（図３参照）。
【００３２】
ロータリシャッタ２０は、図２及び図３に示すように、記録ディスクメディア３０を外部に臨ませる切欠部２０１を有している（図５参照）。なお、切欠部２０１は、カートリッジケース１０のアクセス用開口部１０１と略同形状となっている。
そして、ロータリシャッタ２０は上シェル１１の中央部付近にセンタピン５０によって回動自在に固定されている。
【００３３】
さらに説明すると、ロータリシャッタ２０が閉位置にある場合、ロータリシャッタ２０の切欠部２０１と、カートリッジケース１０のアクセス用開口部１０１とが周方向にずれ、ロータリシャッタ２０がカートリッジケース１０のアクセス用開口部１０１を閉じるようになっている（図１、図４、図５参照）。
これに対し、ロータリシャッタ２０が開位置にある場合、記録ディスクカートリッジ１の厚み方向（記録ディスクメディア３０の軸方向）において、切欠部２０１とアクセス用開口部１０１とが一致し、ロータリシャッタ２０がアクセス用開口部１０１を開くようになっている。そして、このようにアクセス用開口部１０１が開かれると、記録ディスクメディア３０が外部に臨むようになっている（図５参照）。
【００３４】
また、ロータリシャッタ２０は、図示しない付勢手段（例えば渦巻きばね）によって、閉方向（図４、矢印Ａ１参照）に付勢されている。そして、このように閉方向に付勢されたロータリシャッタ２０は、記録ディスクカートリッジ１がドライブ装置Ｄに挿入される前の通常時では、周方向において、Ｖノッチ部材１３３に当接することで閉位置に配置され、アクセス用開口部１０１を閉じるようになっている（図１、図４、図５参照）。
【００３５】
このようなロータリシャッタ２０は、図２及び図３に示すように、金属プレートからなる上シャッタ２１及び下シャッタ２２と、これらの間に介在した合成樹脂製のシャッタウォール２３と、を備えて構成されている。
【００３６】
［上シャッタ２１、下シャッタ２２］
上シャッタ２１は、ロータリシャッタ２０の上壁を構成する部材であり、くさび形に切り欠かれた切欠部２１１を有している。下シャッタ２２は、ロータリシャッタ２０の下壁を構成する部材であり、くさび形に切り欠かれた切欠部２２１を有している。
そして、切欠部２１１と切欠部２２１とで、前記したロータリシャッタ２０の切欠部２０１が構成されている。
【００３７】
また、上シャッタ２１は、その中央部に、前記したセンタピン５０を挿通させるための挿通孔２１２を有している。
【００３８】
下シャッタ２２は、その中央部に、記録ディスクメディア３０の後記するハブ３２を外部に臨ませるためのハブ孔２２２を有している。
また、下シャッタ２２の下シェル１２側には、ハブ孔シャッタ４０の係合長孔４１３に係合する係合突起２２３ａと、係合長孔４２３に係合する係合突起２２３ｂとが形成されている。そして、このように、係合突起２２３ａが係合長孔４１３に、係合突起２２３ｂが係合長孔４２３に、それぞれ係合することで、ロータリシャッタ２０の回動に連動して、ハブ孔シャッタ４０が回動するようになっている。
【００３９】
さらに、下シャッタ２２の下面には、ロータリシャッタ２０を回動させるためのシャッタノブ２４が取り付けられている（図３（ｂ）参照）。このシャッタノブ２４は、カートリッジケース１０の下シェル１２に形成されたガイド孔１２４を通って、記録ディスクカートリッジ１の下面から突出している（図１（ｂ）参照）。そして、記録ディスクカートリッジ１がドライブ装置Ｄに挿入される際に、シャッタノブ２４がドライブ装置Ｄのシャッタノブ係止部Ｄ１に係止されるようになっている（図５参照）。
【００４０】
さらにまた、下シャッタ２２は、その一部が上側に折り曲げ加工されることで一体に形成されたロック片７０（ロック機構）を備えている。ロック片７０は、記録ディスクカートリッジ１の挿入前である通常時において、ロータリシャッタ２０を閉位置でロックするためのものである。
具体的には、ロック片７０は、下シャッタ２２の側面から、その径方向外側に向かって徐々に離れるように延出した細長の金属片である。ロック片７０の先端部７１は、径方向内側に向かってやや屈曲している（図３及び図４参照）。
【００４１】
そして、記録ディスクカートリッジ１がドライブ装置Ｄに挿入される前の通常時、ロータリシャッタ２０が閉位置にある場合、ロック片７０の先端部７１は、アーチ状フレーム１３１の係合溝１３１ｅ（図４参照）に係合し、ロータリシャッタ２０が回動しないようになっている。
【００４２】
また、ロック片７０の先端部７１は、係合溝１３１ｅを介して、記録ディスクカートリッジ１の右側方に臨んでいる。そして、記録ディスクカートリッジ１がドライブ装置Ｄ（図５参照）に挿入されると、ドライブ装置Ｄ内のロック解除ピン（図示省略）が、ロック片７０の先端部７１を径方向内側に押し（図４の矢印Ａ６参照）、ロック片７０と係合溝１３１ｅとの係合が解除され、ロータリシャッタ２０が回動可能となるように構成されている。
【００４３】
［シャッタウォール２３］
シャッタウォール２３は、ロータリシャッタ２０の周壁を構成する部材であり、図２に示すように、ロータリシャッタ２０の切欠部２０１に相当する部分が切り欠かれた、平面視「Ｃ」字形状の樹脂製の部材である。そして、シャッタウォール２３の上下には、上シャッタ２１と下シャッタ２２とが、カートリッジケース１０と同様に、適宜な方法によって固定されており、このようなシャッタウォール２３が上シャッタ２１と下シャッタ２２との間に介在されることにより、記録ディスクメディア３０を収容するスペースが形成されている。
【００４４】
＜記録ディスクメディア３０＞
記録ディスクメディア３０は、データを記録する記録媒体であり、本実施形態では、図２に示すように、フレキシブルディスク３１と、このフレキシブルディスク３１を支持するハブ３２と、を備えて構成されている。
【００４５】
フレキシブルディスク３１は、例えば、ポリエステルシート等からなる円盤状の支持体の両面に磁性層等の記録層を形成したものである。
ハブ３２は、フレキシブルディスク３１を支持する金属製の円筒状部材である。また、ハブ３２は、上面にフレキシブルディスク３１の取り付け部（図示省略）を備えると共に、下面にドライブ装置Ｄ（図５参照）のスピンドル（図示省略）にチャックされるチャック部３２１を備えている（図１（ｂ）参照）。
【００４６】
＜ライナ６０＞
ライナ６０，６０は、記録ディスクメディア３０をクリーニングすると共に、記録ディスクメディア３０を保護するものであり、例えば、不織布等から形成されている。そして、図２に示すように、ライナ６０，６０は、上シャッタ２１及び下シャッタ２２のフレキシブルディスク３１（記録ディスクメディア３０）側にそれぞれ位置しており、接着層を介して上シャッタ２１又は下シャッタ２２に固定されている。
【００４７】
＜ハブ孔シャッタ４０＞
図２に戻って説明を続ける。
ハブ孔シャッタ４０は、下シェル１２とハブ３２との間の隙間Ｓ（図５参照）を開閉するシャッタであり、第１シャッタ４１と、第２シャッタ４２とを備えて構成されている。なお、ハブ孔シャッタ４０は、ロータリシャッタ２０によるアクセス用開口部１０１の開閉に連動して、隙間Ｓを開閉するようになっている。
【００４８】
第１シャッタ４１及び第２シャッタ４２は、それぞれ、平面視で半円状の板状部材である。第１シャッタ４１は、その一方側に、軸孔４１１を有している。同様に、第２シャッタ４２は、その一方側に、軸孔４２１を有している。そして、軸孔４１１には、下シェル１２の内側面に設けられた回動軸部１２５ａが差し込まれており、同様に、軸孔４２１には下シェル１２の回動軸部１２５ｂが差し込まれている。このようにして、第１シャッタ４１は回動軸部１２５ａに回動自在に軸支されており、第２シャッタ４２は回動軸部１２５ｂに回動自在に軸支されている。
【００４９】
また、第１シャッタ４１は、その他方側に、ハブ３２と嵌り合うように半円形状に切り欠かれた嵌合部４１２を有している。同様に、第２シャッタ４２は、その他方側に、嵌合部４２２を有している。そして、記録ディスクカートリッジ１がドライブ装置Ｄに挿入される前の通常時では、第１シャッタ４１と第２シャッタ４２とで、ハブ３２を、その両側から挟むと共に、隙間Ｓを閉じるようになっている。
【００５０】
さらに、第１シャッタ４１は、下シャッタ２２の下側面に設けられた係合突起２２３ａが係合する係合長孔４１３を有している。同様に、第２シャッタ４２は、係合突起２２３ｂが係合する係合長孔４２３を有している。なお、係合長孔４１３，４２３の平面視における形状は、後記するように、ロータリシャッタ２０と一体に回動する係合突起２２３ａ，２２３ｂの回動により、第１シャッタ４１及び第２シャッタ４２が回動し、ハブ孔シャッタ４０が隙間Ｓを開閉するように設計されている。
【００５１】
≪記録ディスクカートリッジの作用効果≫
次に、記録ディスクカートリッジ１の作用効果について説明する。
【００５２】
［カートリッジケース１０の作用効果］
本実施形態に係るカートリッジケース１０は、上シェル１１と下シェル１１との折り曲げ部１１２ｃ，１１２ｄ，１２２ｃ，１２２ｄを重ね合わせることにより構成されるため、カートリッジケース１０の周壁の平坦性が確保された状態で、ロータリシャッタ２０とカートリッジケース１０の周壁との間隔余裕が確保されており、かつ、気密性にすぐれており、なおかつ、簡易に組み立てることが可能に構成されている（図１及び図２参照）。
【００５３】
［折り曲げ部１１２ｃ，１１２ｄ，１２２ｃ，１２２ｄの作用効果］
カートリッジケース１０は、フレーム部材１３の上下から上シェル１１と下シェル１２とを、下シェル１２の折り曲げ部１２２ｃ，１２２ｄが上シェル１１の折り曲げ部１１２ｃ，１１２ｄの内側に配置されるように互いに重ね合わせるように、嵌合するため、溶接などの作業を要することなく、簡易に、カートリッジケース１０を組み立てることを可能としている。
【００５４】
なお、上シェル１１及び下シェル１２の折り曲げ部１１２ｃ，１１２ｄ，１２２ｃ，１２２ｄは、作業性の向上を目的として、カートリッジケース１０の組立て時に上シェル１１の折り曲げ部１１２ｃ，１１２ｄが外側、下シェル１２の折り曲げ部１２２ｃ，１２２ｄが内側となるように互いに誘導する形状に、その先端に加工を施してもよい。
【００５５】
［フレーム部材１３の作用効果］
カートリッジケース１０は、前端部１０ａに係る周壁の一部を構成するアーチ状フレーム１３１と、主に後端部１０ｂの周壁を構成するベースフレーム１３２と、左端部１０ｄの周壁の一部を構成するＶノッチ部材１３３とを備えて構成されているため、周壁の平坦性が確保されている。このため、従来、周壁の曲線を含む区間については上シェル１１及び下シェル１２を構成する金属プレートにしぼり加工を施していたために、カートリッジケース１０の周壁にひずみが生じていたことにより生じていた問題点が解消されている。つまり、例えば、カートリッジケース１０の周壁の内面とロータリシャッタ２０の外周面との間隔に余裕ができるため、ロータリシャッタ２０の回転が妨げられることない。
【００５６】
また、ベースフレーム１３２は、アーチ状フレーム１３１とＶノッチ部材１３３とを合せた体積よりも大きい（本実施形態では５倍程度）体積を有しており、かつ、高比重樹脂により形成されているため、記録ディスクカートリッジ１の重心位置Ｊは、図６（ａ）に示すように、従来記憶ディスクカートリッジ１の中心付近に位置していたのが（符号Ｊ’参照）、後端部１０ｂ側であって、ベースフレーム１３２の近傍に移動される。そのため、記録ディスクカートリッジ１が落下した際には、記憶ディスクカートリッジ１の後端部１０ｂ側から落下する。そして、記憶ディスクカートリッジ１の後端部１０ｂのベースフレーム１３２は、樹脂或いは高比重金属１３２ｄが含有された樹脂１３２ｃにより形成されているため、落下により床等に衝突しても、衝撃を吸収して、カートリッジケース１０に変形が生じることがない。なお、本実施形態では、記録ディスクカートリッジ１を高さ７０ｃｍの位置から落下させた際に、記録ディスクカートリッジ１が空中で回転して、記録ディスクカートリッジ１の最初の向きに関わらずベースフレーム１３２から落下することが可能な位置に重心位置Ｊを設定するものとする。重心位置Ｊは、前記位置に限定されないことはいうまでもない。
また、さらに、後端部１０ｂ（ベースフレーム１３２）の外周が、衝撃吸収素材により覆われている場合には、衝突時の衝撃を衝撃吸収素材により吸収するため、直接的に衝撃が加わる箇所以外についても、落下時の衝撃により記録ディスクカートリッジ１に破損が生じることがない。
【００５７】
＜ロータリシャッタ２０の動作＞
ロータリシャッタ２０は、図５右側に示すように、記録ディスクカートリッジ１の通常時（ドライブ装置Ｄへの挿入前）において、閉位置に配置されており、アクセス用開口部１０１が閉じられている。さらに説明すると、通常時において、カートリッジケース１０のアクセス用開口部１０１と、ロータリシャッタ２０の切欠部２０１とは、一致しておらず、アクセス用開口部１０１は閉状態となっている。これにより、アクセス用開口部１０１からカートリッジケース１０内への塵埃の侵入が防止されており、その結果として、記録ディスクメディア３０等が保護されている。
なお、このようにロータリシャッタ２０が閉位置に配置される場合、シャッタノブ２４は、下シェル１２のガイド孔１２４の前方に位置している。
【００５８】
そして、記録ディスクカートリッジ１をドライブ装置ＤのカートリッジスロットＤＳに挿入すると、ドライブ装置Ｄのロック解除ピン（図示省略）がロック片７０の先端部７１を径方向内側に押し、ロック片７０によるロータリシャッタ２０のロックが解除された後（図４、矢印Ａ６参照）、シャッタノブ２４がドライブ装置Ｄのシャッタノブ係止部Ｄ１に引っ掛かって係止される。このようにシャッタノブ２４がシャッタノブ係止部Ｄ１に係止されたまま、記録ディスクカートリッジ１をさらに挿入すると、シャッタノブ２４はガイド孔１２４に沿って摺動する（図４、矢印Ａ２参照）。
【００５９】
そうすると、シャッタノブ２４が固定されたロータリシャッタ２０は、カートリッジケース１０内でセンタピン５０を軸として回動する（図４、矢印Ａ３参照）。つまり、ロータリシャッタ２０がカートリッジケース１０に対して相対的に回動する。このようなロータリシャッタ２０の回動に伴って、アクセス用開口部１０１が、ドライブ装置Ｄ内で徐々に開く。
【００６０】
そして、図５左側に示すように、記録ディスクカートリッジ１が、完全に挿入され、ドライブ装置Ｄに装着されると、ロータリシャッタ２０の切欠部２０１とカートリッジケース１０のアクセス用開口部１０１とが一致し、ロータリシャッタ２０が開位置に配置され、アクセス用開口部１０１が完全に開かれる。その結果として、記録ディスクメディア３０が、切欠部２０１及びアクセス用開口部１０１を介して、ドライブ装置Ｄ内で、外部に臨んだ状態となる。そして、ドライブ装置ＤにおけるスイングアームＳＡのヘッドは、記録ディスクメディア３０に書き込み／読み取り可能となる。
なお、このようにロータリシャッタ２０が開位置に配置される場合、ロータリシャッタ２０に固定されたシャッタノブ２４は、下シェル１２のガイド孔１２４の後方に位置する。
【００６１】
また、記録ディスクカートリッジ１がドライブ装置Ｄから取り出されると、ロータリシャッタ２０が付勢手段（図示省略）によって閉方向に付勢され、閉位置に戻り、アクセス用開口部１０１を閉じる。そして、このようにロータリシャッタ２０が閉位置に戻ると、ロック片７０がロータリシャッタ２０をロックする（図４参照）。
【００６２】
＜ハブ孔シャッタ４０の動作＞
次に、このようなロータリシャッタ２０の動作に連動するハブ孔シャッタ４０について説明する。
ハブ孔シャッタ４０は、図５右側に示すように、記録ディスクカートリッジ１の通常時（ドライブ装置Ｄへの挿入前、ロータリシャッタ２０が閉位置にあるとき）において、カートリッジケース１０の下シェル１２とハブ３２との、隙間Ｓを塞いでいる。さらに説明すると、ハブ孔シャッタ４０を構成する第１シャッタ４１と第２シャッタ４２とは、下シェル１２と記録ディスクメディア３０との間でハブ３２を挟んでおり、隙間Ｓを塞いでいる。これにより、この隙間Ｓからカートリッジケース１０内への塵埃の侵入が防止されており、その結果として、記録ディスクメディア３０等が保護されている。
【００６３】
そして、記録ディスクカートリッジ１がドライブ装置Ｄに挿入されて、前記したように、ロータリシャッタ２０が回動すると、この回動に連動して、ハブ孔シャッタ４０が隙間Ｓを開く。さらに説明すると、ロータリシャッタ２０が回動すると、下シャッタ２２の係合突起２２３ａ、２２３ｂも回動する（図４、矢印Ａ４、Ａ４参照）。
【００６４】
ここで、前記したように、係合突起２２３ａは第１シャッタ４１の係合長孔４１３と係合しているため、回動する係合突起２２３ａは係合長孔４１３内を摺動し、第１シャッタ４１が下シェル１２の回動軸部１２５ａを軸として回動する（図４、矢印Ａ５参照）。
また、係合突起２２３ｂは第２シャッタ４２の係合長孔４２３と係合しているため、回動する係合突起２２３ｂは係合長孔４２３内を摺動し、第２シャッタ４２が下シェル１２の回動軸部１２５ｂを軸として回動する（図４、矢印Ａ５参照）。
【００６５】
このように、第１シャッタ４１及び第２シャッタ４２がそれぞれ回動すると、ハブ孔シャッタ４０は隙間Ｓを開き、これと共に、ハブ孔シャッタ４０によるハブ３２の挟持状態は解除される（図５左側参照）。その結果として、ハブ３２及びこれを備える記録ディスクメディア３０は、ハブ３２にチャックするドライブ装置Ｄのスピンドル（図示省略）により、良好に回転することができる。
【００６６】
なお、記録ディスクカートリッジ１がドライブ装置Ｄから取り出されると、閉位置に戻るロータリシャッタ２０に連動して、ハブ孔シャッタ４０は隙間Ｓを閉じる。
【００６７】
以上、本発明について、好適な実施形態について説明したが、本発明は前記の実施形態に限られず、本発明の趣旨を逸脱しない範囲で適宜設計変更が可能である。
例えば、前記実施形態では、右端部及び左端部の周壁について、上下のシェルの折り曲げ部を重ね合わせて形成する構成としたが、周壁の全体についてフレーム部材により形成してもよい。
【００６８】
また、前記実施形態では、カートリッジケースの組立てについて、右端部及び左端部の周壁において、上シェルの折り曲げ部と下シェルの折り曲げ部とを重ね合わせるものしたが、例えば、互いの折り曲げ部を突合せて接合してもよく、カートリッジケースの組立て方式は限定されるものではない。
【００６９】
ロータリシャッタの構成は前記のものに限定されるものではなく、適宜公知の構成によるものを使用可能である。
【００７０】
また、前記実施形態では、ハブ孔シャッタを備える構成について説明したが、必ずしもハブ孔シャッタを有していなくてもよい。
【図面の簡単な説明】
【００７１】
【図１】本実施形態に係る記録ディスクカートリッジを示す斜視図であり、（ａ）は前方斜め上方からみた図、（ｂ）は後方斜め下方からみた図である。
【図２】本実施形態に係る記録ディスクカートリッジの分解斜視図である。
【図３】本実施形態に係るロータリシャッタを示す斜視図であり、（ａ）は前方斜め上方からみた図、（ｂ）は後方斜め下方からみた図である。
【図４】本実施形態に係る記録ディスクカートリッジを下方からみた平面図である。
【図５】本実施形態に係る記録ディスクカートリッジをドライブ装置に挿入した状態を示す斜視図である。
【図６】（ａ）は本実施形態に係る記録ディスクカートリッジを示す平面図であり、（ｂ）はベースフレームの変形例を示す平面図である。
【図７】従来の記録ディスクカートリッジを示す斜視図であり、（ａ）は上側前方からみた図、（ｂ）は下側後方からみた図である。
【符号の説明】
【００７２】
１      記録ディスクカートリッジ
１０    カートリッジケース
１１    上シェル
１２    下シェル
１３    フレーム部材
２０    ロータリシャッタ
３０    記録ディスクメディア
４０    ハブ孔シャッタ
５０    センタピン
６０    ライナ
１０１  アクセス用開口部
１３１  アーチ状フレーム
１３２  ベースフレーム
１３３  Ｖノッチ
Ｊ      重心
【図１】
2007133941.tif 000004
【図２】
2007133941.tif 000005
【図３】
2007133941.tif 000006
【図４】
2007133941.tif 000007
【図５】
2007133941.tif 000008
【図６】
2007133941.tif 000009
【図７】
2007133941.tif 000010